(57)【要約】【課題】電気コネクタの外縁とパネル開口部の開口縁との間に隙間が生じにくい電気コネクタ【解決手段】ハウジング１０は周囲３側面の下端位置に連続して環状方向に延び、組み付け時開口部２０を塞ぐフランジ１１と、フランジ１１からパネル２の厚み相当分の隙間を隔てた左右側面の下方位置にストップフランジ１２とを備える。パネル２はストップフランジ１２通過用の開口部２１と、これに連続するスライド用の開口部２２とを備える。嵌合開始位置から嵌合終了位置までのスライド移動の際、ストップフランジ１２とフランジ１１との間に形成された溝部がスライド部２２の外縁部を挟持する姿勢で移動し、嵌合終了位置でフランジ１１下面のボス１６は挿通部２１に嵌り、底面部に露出する端子収容部１４が全てパネル２で塞がれる電気コネクタ用パネルマウント装置。【選択図】  図１
2020194699.tif 000002
【特許請求の範囲】
【請求項１】
組み付け用の開口部を有するパネルに組み付けられる電気コネクタであって、前記電気コネクタのハウジングは箱型で周囲４側面のうち少なくとも左右側面を含む３側面の下端位置に連続して環状方向に延び、組み付け時前記開口部を塞ぐフランジと、前記フランジから前記パネルの厚み相当分の隙間を隔てた左右側面の下方位置に所定の広がりを有するストップフランジとを備えるところに特徴を有する電気コネクタ。
【請求項２】
前記フランジは角隅部の下面に、組み付け状態で前記開口部に嵌る、下方向に突出するボスを備えるところに特徴を有する請求項１記載の電気コネクタ。
【請求項３】
前記電気コネクタは嵌合方向と直交する方向に電線が引き出されるところに特徴を有する請求項２記載の電気コネクタ。
【請求項４】
前記パネルは請求項３記載の電気コネクタを組み付けるための前記ストップフランジ挿通用の開口部と、これに連続するスライド用の開口部とを備え、前記電気コネクタの嵌合開始位置から嵌合終了位置へのスライド移動の際、前記ストップフランジと前記フランジとの間に形成された溝部が前記スライド開口部の外縁部を挟持する姿勢で移動し、前記嵌合終了位置で前記ボスは前記挿通用の開口部に嵌り、前記電気コネクタの底面部に露出する端子収容部が全て前記パネルで覆われるところに特徴を有する電気コネクタ用パネルマウント装置。
【発明の詳細な説明】
【技術分野】
【０００１】
本発明は、パネルに組み付く電気コネクタに関する。
【０００２】
本分野の先行技術として特許文献１記載の技術が知られている。これによれば、パネルに組み付く電気コネクタは、位置決めフランジ２２及びストップフランジ２４、２６をハウジングの底部に備えている。そして、ラッチアーム２８、ラッチ突起３２及び堅牢な保護シュラウド３３、４４を所定位置に設けることでパネルに対するずれ吸収機能を有する電気コネクタが得られる。組み付け過程で位置決めフランジがパネルに挿入された後、電気コネクタを指示方向に必要量スライドさせると、電気コネクタがパネルに固定される構造である。ハウジングの外縁とパネル開口部の開口縁との間に所定量の隙間を設けることで必要なずれ吸収能を備えた電気コネクタが得られるというものである。
【先行技術文献】
【特許文献】
【０００３】
【特許文献１】特開２００１−１０２１３５号公報
【発明の概要】
【発明が解決しようとする課題】
【０００４】
しかしこの技術によれば、電線引き出し方向がパネルに対して垂直方向（パネルの裏面側の下方向）であるために、パネル裏面に電線を処理するための開口部が必要になる。また、ハウジングの周囲に堅牢な保護シェラウドが備わるので、電気コネクタ全体の形状が大きくなる。さらに、パネル裏面からみるとパネル開口部を通してハウジングの露出部分が広がるので、電気コネクタは外部からの影響を受けやすくなる。また、パネルに対して電気コネクタが一方端に寄ったとき、電気コネクタの外縁と、パネル開口部の開口縁との間に大きな隙間が生じる。そして、この隙間を通してほこりなどの異物が侵入するおそれがある。
【０００５】
本発明は、上述した問題に鑑みてなされたものであって、パネル裏面側のハウジングの露出範囲が少なく、パネルに対して電気コネクタが片側に寄った場合でも、電気コネクタの外縁と、パネル開口部の開口縁との間に隙間が生じにくい電気コネクタを提供すること、及びこのような電気コネクタ用パネルマウント装置を提供することを目的とする。
【課題を解決するための手段】
【０００６】
本発明の電気コネクタは、（１）組み付け用の開口部を有するパネルに組み付けられる電気コネクタであって、前記電気コネクタのハウジングは箱型で周囲４側面のうち少なくとも左右側面を含む３側面の下端位置に連続して環状方向に延び、組み付け状態で前記開口部を塞ぐフランジと、前記フランジから前記パネルの厚み相当分の隙間を隔てた左右側面の下方位置に所定の広がりを有するストップフランジとを備えるところに特徴を有するものである。
【０００７】
この発明によれば、パネルに組み付けられた状態でフランジがパネルの開口部を塞ぐので、電気コネクタの外縁と、パネル開口部の開口縁との間に隙間が生じにくい電気コネクタが得られる。
【０００８】
好ましくは、本発明の電気コネクタは、（２）前記フランジは角隅部の下面に、組み付け状態で前記開口部に嵌る、下方向に突出するボスを備えるところに特徴を有する（１）記載のものである。
【０００９】
この発明によれば、フランジ下面に備わるボスが組み付け状態でパネルの開口部に嵌り、これによりパネルに対する電気コネクタの相対的な組み付け位置が定まる。これにより、ボスと開口部との間に生じる隙間を任意の量に設定することにより、パネルに対する水平方向の動きが所定量許容された電気コネクタが得られる。
【００１０】
さらに好ましくは、本発明の電気コネクタは、（３）前記電気コネクタは嵌合方向と直交する方向に電線が引き出されるところに特徴を有する（２）記載のものである。
【００１１】
この発明によれば、電線は電気コネクタの側面から側方に引き出されるので、パネルに電線引き出し用の開口部は不要になる。これにより、パネル裏面のハウジングの露出範囲が狭くなり、パネルに対する電気コネクタの片寄りが生じた場合でも、パネル裏面側の電気コネクタのハウジングの露出範囲が少ない電気コネクタが得られる。
【００１２】
本発明の電気コネクタ用パネルマウント装置は、（４）前記パネルは（３）記載の電気コネクタを組み付けるための前記ストップフランジ挿通用の開口部と、これに連続するスライド用の開口部とを備え、前記電気コネクタの嵌合開始位置から嵌合終了位置へのスライド移動の際、前記ストップフランジと前記フランジとの間に形成された溝部が前記スライド開口部の外縁部を挟持する姿勢で移動し、前記嵌合終了位置で前記ボスは前記挿通用の開口部に嵌り、前記電気コネクタの底面部に露出する端子収容部が全て前記パネルで覆われるところに特徴を有するものである。
【００１３】
この発明によれば、パネルに組み付けられた状態で水平方向の移動が許容された電気コネクタが得られる。また、ハウジングの底面がパネルで塞がれるので、パネル裏面側のハウジングの露出範囲が少なく、パネルに対して電気コネクタが片側に寄った場合でも、電気コネクタの外縁と、パネル開口部の開口縁との間に隙間が生じにくい電気コネクタが得られる。
【図面の簡単な説明】
【００１４】
【図１】図１は本実施形態に係る電気コネクタの外観斜視図であって、（１）は上方向から、（２）は下方向からの斜視図である。
【図２】図２は同電気コネクタと対応パネルとの装着開始位置の外観図である。
【図３】図３は同電気コネクタと対応パネルとの嵌め込み過程を示す図であって、（１）は嵌め込み開始位置、（２）は嵌め込み完了位置である。
【図４】図４は同電気コネクタと対応パネルとの装着状態を示す外観図である。
【図５】図５は他の実施形態に係る電気コネクタと対応パネルとの外観図である。
【発明を実施するための形態】
【００１５】
本発明の実施形態を添付図面に基づいて説明するが、本発明の技術的範囲はこれらの実施形態によって限定されるものではなく、発明の要旨を逸脱しない範囲で実施することができる。図１は本実施形態に係る電気コネクタの外観斜視図であって、（１）は上方向から、（２）は下方向からの斜視図である。図２は同電気コネクタと対応パネルとの装着開始位置の外観図である。図３は同電気コネクタと対応パネルとの嵌め込み過程を示す図であって、（１）は嵌め込み開始位置、（２）は嵌め込み完了位置である。図４は同電気コネクタと対応パネルとの装着状態を示す外観図である。なお、説明中の方向指示は対応する図中の方向定義にしたがう。
【００１６】
本実施形態に係る電気コネクタ１は、図１に示されるように、ハウジング本体１０ａからなるハウジング１０と、ハウジング本体１０ａの内部に装着された図示しない端子と、端子に接続された電線Ｗとを備えている。
【００１７】
ハウジング１０は、図１に示されるように、前面、後面及び左右側面を有する箱体状のハウジング本体１０ａと、ハウジング本体１０ａの下端縁から外方向に延びるフランジ１１とを備えている。フランジ１１は、広がり方向に一様な厚みを有し可撓性と、剛性とを兼ね備えている。フランジ１１は、前面及び左右側面の三面に備わるが、電線Ｗが引き出される後面には備わらない。
【００１８】
前面フランジ１１０と、左右側面フランジ１１１、１１１とは、図１に示されるように、放射状に延びるとともに環状方向に連なる。また、下面は一様に平坦である。前面フランジ１１０の前方寄り隅部には１対のボス１６、１６が形成されている。また、前面フランジ１１０のハウジング本体１０ａとの連続部には、Ｊ字状に延びるスリット１７、１７が形成されている。これにより、前面フランジ１１０の上下方向の可撓性が補足される。
【００１９】
ボス１６は、図１の（２）に示されるように、前面フランジ１１０の隅部よりやや内側に備わる。ボス１６は、直径の異なる扁平な円柱を２つ重ね合わせた構造である。ボス１６は、所定量フランジ１１下面から下方向へ突出している。
【００２０】
左右側面フランジ１１１、１１１は、図１に示されるように、上面に補強部１１１ａが形成され剛性が強化されている。下面は一様に平坦である。
【００２１】
ハウジング本体１０ａの左右側面には、図１の（２）に示されるように、フランジ１１の下方位置にストップフランジ１２が備わる。ストップフランジ１２は、フランジ１１との間に溝部を形成するように備わる。ストップフランジ１２は、断面Ｌ字状で側面フランジ１１１の下面との間に溝部を形成している。ストップフランジ１２の後面上端にはテーパー面が形成されている。
【００２２】
ストップフランジ１２は、図１の（２）に示されるように、全体がフランジ１１の陰に隠れる状態で備わる。左右方向の先端は、左右側面フランジ１１１、１１１の左右側縁よりもやや内側にあり、後端はハウジング本体１０ａ後縁よりも所定量前方位置にある。さらに、前端はハウジング本体１０ａ前縁よりも所定量後方位置にある。
【００２３】
ハウジング本体１０ａは、図１の（２）に示されるように、端子収容部１４に連接する開口部１４ａが裏面に形成されている。開口部１４ａの前方には肉盗み用の穴が形成されている。また、ハウジング本体１０ａの上面には図示しない相手方電気コネクタとの嵌合部１３が形成されている。
【００２４】
<パネル>
電気コネクタ１の対応するパネル２は、図２に示されるように、前後方向に沿って平行位置に１対の開口部２０、２０が形成されている。開口部２０は、矩形状の挿通部２１と、矩形状のスライド部２２とからなる。このパネル２は、金属や合成樹脂などの剛性を有する材料で形成してよい。
【００２５】
パネル２の開口部２０は、電気コネクタ１のストップフランジ１２が組み付け操作の際上下方向にスムーズに通過できる大きさを有している。スライド部２２は電気コネクタ１のストップフランジ１２と側面フランジ１１１との間に形成された溝部がスライド可能な大きさを有するとともに、電気コネクタ１のパネル２に対する装着位置で電気コネクタを上下方向に保持するために必要な大きさを有している。
【００２６】
パネル２の開口部２０は、図２に示されるように、左右１対備わり、挿通部２０とスライド部２２が前後方向に連続して形成されている。挿通部２１は、スライド部２２に比べ
て左右幅方向が大きく、その連接部の外側には段差が形成されている。
【００２７】
<パネルとの嵌合>
電気コネクタ１と、対応するパネル２との嵌合は、図３に示されるように、装着開始位置から降下させ嵌合開始位置にある電気コネクタ１を後方にスライドさせて嵌合終了位置に至らせる一連の操作である。
【００２８】
嵌合開始位置にある電気コネクタ１と、対応するパネル２との位置関係は、図３の（１）に示されるように、電気コネクタ１のストップフランジ１２が対応するパネル２の挿通部２１を通過している。このとき、前面フランジ１１０の下面にある１対のボス１６、１６はパネル２の上面に当接した状態である。すなわち、嵌合開始位置にある電気コネクタ１の姿勢は、側面方向から見るとパネル２に対して前方がやや（ボスの突出相当分）上方向に傾いた状態である。
【００２９】
嵌合開始位置にある電気コネクタ１は、図３の（２）に示されるように、パネル２に対して後方にスライドして嵌合終了位置に至る。嵌合過程で電気コネクタ１のストップフランジ１２は、パネル２のスライド部を通過する。この間、ストップフランジ１２と、フランジ１１との間に形成された溝部にスライド部２２のパネル縁部が通過する。電気コネクタ１の押切状態の嵌合終了位置で、前面フランジ１１０の下面の１対のボス１６、１６は、全体が挿通部２１の開口に嵌り込む。すなわち、嵌合終了位置にある電気コネクタ１の姿勢は、側面方向から見るとパネル２に対して平行状態である。
【００３０】
嵌合終了位置で、電気コネクタ１は対応するパネル２に緩やかに組み付けられている。図３の（２）に示されるように、電気コネクタ１は、フランジ１１と、ストップフランジ１２とでパネル２を挟持することで、パネル２に対する上下方向と左右方向の位置決めがなされると同時に保持されている。また、前後及び重ねて左右方向の位置決めは、ボス１６と挿通部２１の開口縁との当接及びストップフランジ１２と、スライド部２２の開口縁との当接により行われる。これらの当接部に必要なクリアランスを設定することにより、所定のずれ吸収能を備えた電気コネクタが得られる。
【００３１】
すなわち、電気コネクタ１のストップフランジ１２で形成される溝部の深さや、フランジ１１の下面のボス１６の相対的な位置、及びパネル２の開口部２０の形状及び大きさなどにより、適宜所定のずれ吸収能を備えた電気コネクタ用パネルマウント装置が得られる。
【００３２】
<組み付け状態>
対応するパネル２に装着された電気コネクタ１は、図３、図４に示されるように、ハウジング１０の裏面が概ねパネル２で覆われている。これにより、ハウジング１０の下面の端子収容部１４の開口部１４ａや、その近傍に備わる肉盗み用の開口部などすべての開口部がパネルで塞がれた状態である。
【００３３】
<効果>
本実施形態の電気コネクタ１は、電線引き出し方向がパネルに対して平行なため、電気コネクタ１の底面から引き出す場合のようなパネル裏面のスペースが不要な電気コネクタ１が得られる。
【００３４】
本実施形態の電気コネクタ１は、保護シュラウドが不要なので全体の外形を小型化可能な電気コネクタ１が得られる。
【００３５】
フランジ１１の下面に左右方向に離れた１対のボス１６、１６が備わるので、パネル２
に対して回転方向のずれが抑制された電気コネクタ１が得られる。
【００３６】
ハウジング１０の裏面がパネル２に覆われハウジング１０の開口部１４ａが塞がれるので、ほこりや異物の侵入が抑制された電気コネクタ１が得られる。
【符号の説明】
【００３７】
１            電気コネクタ
１０          ハウジング
１０ａ        ハウジング本体
１１          フランジ
１１０        前面フランジ
１１１        側面フランジ
１１１ａ      補強部
１２          ストップフランジ
１３          嵌合部
１４          端子収容部
１４ａ        開口部
１５          電線挿通部
１６  １６ａ    ボス
１７          スリット
Ｗ            電線
２            パネル
２０  ２０ａ    開口部
２１          挿通部
２２          スライド部
【図１】
2020194699.tif 000003
【図２】
2020194699.tif 000004
【図３】
2020194699.tif 000005
【図４】
2020194699.tif 000006
【図５】
2020194699.tif 000007